(57)【特許請求の範囲】
【請求項１】
１つ以上の動画ファイルの集合である第１グループを生成するように構成される第１グループ部と、
前記第１グループに含まれる動画ファイルのうち少なくとも一部の動画ファイルをグルーピングするように構成される第２グループ部と、
前記第２グループ部に含まれる動画ファイルのうちから選択された動画ファイルを提供するように構成される提供部と、を含み、
前記第１グループ部は、さらに、
前記１つ以上の動画ファイルから抽出されたオーディオファイルに基づいて第１グループを生成し、
前記第２グループ部は、さらに、
前記第１グループに含まれる動画ファイルのうち少なくとも一部の動画ファイルを同期化させることによって第２グループを生成するように構成され、
前記第１グループに含まれる動画ファイルのうち少なくとも一部の動画ファイルの動画ファイルのそれぞれのオーディオファイルに基づいて前記同期化を行う、動画提供システム。
【請求項２】
前記第２グループ部は、さらに、
前記少なくとも一部の動画ファイルのそれぞれを操作インタフェースにマッチングするように構成され、
前記提供部は、さらに、
前記操作インタフェースを通じて選択された動画ファイルを提供するように構成される、請求項１に動画提供システム。
【請求項３】
前記提供部は、さらに、
前記選択がなされる選択時点以前に提供された動画ファイルに続いて前記選択された動画ファイルを提供するが、前記選択時点のタイムインデックスを開始時間として前記選択された動画ファイルを提供するように構成される、請求項１または請求項２に記載の動画提供システム。
【請求項４】
１つ以上の動画ファイルの集合である第１グループを生成するように構成される第１グループ部と、
前記第１グループに含まれる動画ファイルのうち少なくとも一部の動画ファイルをグルーピングするように構成される第２グループ部と、
前記第２グループ部に含まれる動画ファイルのうちから選択された動画ファイルを提供するように構成される提供部と、を含み、
前記第１グループ部は、さらに、
前記１つ以上の動画ファイルから抽出されたオーディオファイルに基づいて第１グループを生成し、
前記第２グループ部は、さらに、
前記第１グループに含まれる動画ファイルのうち少なくとも一部の動画ファイルを同期化させることによって第２グループを生成するように構成され、
前記提供部は、さらに、
前記選択がなされる選択時点以前に提供された動画ファイルに続いて前記選択された動画ファイルを提供するが、前記選択時点のタイムインデックスを開始時間として前記選択された動画ファイルを提供するように構成され、
前記選択された動画ファイルのイメージファイルと共に、前記選択時点以前に提供されたオーディオファイルを選択的に提供するように構成される、動画提供システム。
【請求項５】
前記提供部は、さらに、
前記選択時点のタイムインデックスおよび前記選択された動画ファイルに基づいてマスターファイルを提供するように構成される、請求項１から請求項４のいずれか１項に記載の動画提供システム。
【請求項６】
１つ以上の動画ファイルの集合である第１グループを生成する段階と、
前記第１グループに含まれる動画ファイルのうち少なくとも一部の動画ファイルを第２グループとしてグルーピングする段階と、
前記第２グループに含まれる動画ファイルのうちから選択された動画ファイルを提供する段階と、を含み、
前記第１グループを生成する段階は、
前記１つ以上の動画ファイルから抽出されたオーディオファイルに基づいて第１グループを生成する段階を含み、
前記第２グループを生成する段階は、
前記第１グループに含まれる動画ファイルのうち少なくとも一部の動画ファイルを同期化させることによって第２グループを生成する段階を含み、
前記第２グループを生成する段階は、
前記第１グループに含まれる動画ファイルのうち少なくとも一部の動画ファイルの動画ファイルのそれぞれのオーディオファイルに基づいて前記同期化を行う段階を含む、動画提供方法。
【請求項７】
前記第２グループとしてグルーピングする段階は、
前記第２グループに含まれる前記少なくとも一部の動画ファイルのそれぞれを操作インタフェースにマッチングする段階をさらに含み、
前記選択された動画ファイルを提供する段階は、
前記操作インタフェースを通じて選択された動画ファイルを提供する段階を含む、請求項６に記載の動画提供方法。
【請求項８】
前記選択された動画ファイルを提供する段階は、
前記選択がなされる選択時点以前に提供された動画ファイルに続いて前記選択された動画ファイルを提供するが、前記選択時点のタイムインデックスを開始時間として前記選択された動画ファイルを提供する段階を含む、請求項６または請求項７に記載の動画提供方法。
【請求項９】
１つ以上の動画ファイルの集合である第１グループを生成する段階と、
前記第１グループに含まれる動画ファイルのうち少なくとも一部の動画ファイルを第２グループとしてグルーピングする段階と、
前記第２グループに含まれる動画ファイルのうちから選択された動画ファイルを提供する段階と、を含み、
前記第１グループを生成する段階は、
前記１つ以上の動画ファイルから抽出されたオーディオファイルに基づいて第１グループを生成する段階を含み、
前記第２グループを生成する段階は、
前記第１グループに含まれる動画ファイルのうち少なくとも一部の動画ファイルを同期化させることによって第２グループを生成する段階を含み、
前記選択された動画ファイルを提供する段階は、
前記選択がなされる選択時点以前に提供された動画ファイルに続いて前記選択された動画ファイルを提供するが、前記選択時点のタイムインデックスを開始時間として前記選択された動画ファイルを提供する段階を含み、
前記選択時点のタイムインデックスを開始時間として前記選択された動画ファイルを提供する段階は、
前記選択された動画ファイルのイメージファイルと共に、前記選択時点以前に提供されたオーディオファイルを選択的に提供する段階をさらに含む、動画提供方法。
【請求項１０】
前記選択された動画ファイルを提供する段階は、
前記選択時点のタイムインデックスおよび前記選択された動画ファイルに基づいてマスターファイルを提供する段階をさらに含む、請求項６から請求項９のいずれか１項に記載の動画提供方法。
【請求項１１】
請求項６〜１０のうちいずれか一項に記載された方法を実行するプログラムが記録された、コンピュータで読み取り可能な記録媒体。
【請求項１２】
コンピューティング装置と結合され、
請求項６〜１０のうちいずれか一項に記載された方法を実行するための、媒体に格納されたコンピュータプログラム。
【発明の詳細な説明】
【技術分野】
【０００１】
本発明は、動画提供方法および動画提供システムに関し、ユーザカスタマイズ動画をユーザに提供することのできる方法およびシステムに関する。
【背景技術】
【０００２】
最近は、動画生成技術の発達に伴い、動画に関する技術的な知識をもたない一般人でも動画コンテンツを簡単に生成することができるようになった。例えば、スマートフォン（ｓｍａｒｔｐｈｏｎｅ）のような携帯用端末機に実装されているカメラの撮影機能を利用することで、一般人でも簡単に動画コンテンツを生成することができるようになった。
【０００３】
さらに、他人が生成した動画コンテンツへのアクセスも容易になったことから、動画コンテンツが活発に製作および共有されている。
【０００４】
しかし、現在に共有されている動画コンテンツは、動画を生成した者、すなわち、編集者によって編集された最終版であるため、動画を視聴する視聴者は、自身が視聴したい動画を視聴することができないなどの問題を抱えている。
【０００５】
例えば、映画、歌謡番組、ドラマなどで提供される動画は、１台のカメラで撮影対象を撮影したものではなく、撮影対象を数台のカメラによって撮影した動画であり、さらには、特定のイベント（例えば、予測不能な事件）に対してイベント現場に居合わせた者が撮影した映像も、数台のカメラ（例えば、スマートフォンに実装されているカメラ）によって撮影された映像であると言えるが、近年の動画配信の特性上、撮影された動画すべてが配信されることはなく、１つの動画だけが配信され、したがって、それぞれのカメラによって撮影された動画は編集され、最終版として１つを構成するようになる。
【０００６】
ここで、最終版となった動画ファイルは、複数の動画ファイルから編集者によって選ばれたり集められたりしたファイルであり、これ以外のファイルは廃棄されるようになることから、資源の浪費を招来するという問題が生じる。さらに、最終版は、編集者の主観的な観点によって編集されたものであるため、様々な嗜好をもつ多数の視聴者を満足させるには困難があるという問題もある。
【０００７】
一方、先行技術文献である特許出願番号第１０−２０１１−０１１０９５２号（公開日：２０１３年５月８日）では、動画サービス提供方法および動画サービス提供装置を提示しているが、動画を提供するウェブサーバからリストを抽出した後に、必要に応じてリストを選別してディスプレイ装置で提供するものに過ぎず、動画提供の便宜性を考慮しただけのものであって、上述した問題点を解決することはできずにいる。
【０００８】
したがって、上述した問題を解決するための技術が必要となった。
【０００９】
ここで、上述した背景技術は、発明者が本発明を導き出すために保有していたり、本発明を導き出す過程において取得したりした技術情報であり、必ずしも本発明の出願前に一般公衆に公開された公知技術であるとは言えない。
【発明の概要】
【発明が解決しようとする課題】
【００１０】
本発明の一実施形態は、動画提供方法および動画提供システムを提示することを目的とする。
【課題を解決するための手段】
【００１１】
上述した技術的課題を達成するための技術的手段であって、本発明の第１側面によると、１つ以上の動画ファイルの集合である第１グループを生成するように構成される第１グループ部と、前記第１グループに含まれる動画ファイルのうち少なくとも一部の動画ファイルをグルーピングするように構成される第２グループ部と、前記第２グループ部に含まれる動画ファイルのうちから選択された動画ファイルを提供するように構成される提供部と、を含む動画提供システムであってもよい。
【００１２】
また、本発明の第２側面によると、１つ以上の動画ファイルの集合である第１グループを生成する段階と、前記第１グループに含まれる動画ファイルのうち少なくとも一部の動画ファイルを第２グループとしてグルーピングする段階と、前記第２グループに含まれる動画ファイルのうちから選択された動画ファイルを提供する段階と、を含む動画提供方法であってもよい。
【００１３】
また、本発明の第３側面によると、１つ以上の動画ファイルの集合である第１グループを生成する段階と、前記第１グループに含まれる動画ファイルのうち少なくとも一部の動画ファイルを第２グループとしてグルーピングする段階、前記第２グループに含まれる動画ファイルのうちから選択された動画ファイルを提供する段階と、を含む動画提供方法を実行するプログラムが記録されたコンピュータで読み取り可能な記録媒体であってもよい。
【００１４】
さらに、本発明の第４側面によると、動画提供方法を実行させるためのコンピュータプログラムであって、前記コンピュータプログラムは、コンピュータによって、１つ以上の動画ファイルの集合である第１グループを生成する段階と、前記第１グループに含まれる動画ファイルのうち少なくとも一部の動画ファイルをグルーピングする段階と、前記第２グループに含まれる動画ファイルのうちから選択された動画ファイルを提供する段階と、を実行させるコンピュータプログラムコードを含んでもよい。
【発明の効果】
【００１５】
上述した本発明の課題を解決する手段の１つによると、本発明の一実施形態は、動画提供方法および動画提供システムを提示することができる。
【００１６】
また、本発明の課題を解決する手段の１つによると、ユーザが自身の所望する動画を選択して視聴することができる。特に、ユーザが自身の所望する時間帯の動画または自身の知りたいイベントの動画が合わさった１つ以上の動画を、多様な角度から視聴することができる。
【００１７】
本発明で得ることができる効果は、上述した効果に制限されるものではなく、上述されていないさらに他の効果は、以下の記載から、本発明が属する技術分野において通常の知識を有する者によって明確に理解されるであろう。
【図面の簡単な説明】
【００１８】
【図１】本発明の一実施形態に係る動画提供システムを説明するための構成図である。
【図２】本発明の一実施形態に係る動画提供システムのブロック図である。
【図３】本発明の一実施形態に係るデータ構造の例示図である。
【図４】本発明の一実施形態に係る動画提供方法を説明するためのフローチャートである。
【図５】本発明の一実施形態に係る動画提供方法を説明するためのフローチャートである。
【図６】本発明の一実施形態に係る動画提供方法を説明するための例示図である。
【発明を実施するための形態】
【００１９】
以下、添付の図面を参照しながら、本発明が属する技術分野において通常の知識を有する者が容易に実施できるように、本発明の実施形態を詳しく説明する。しかし、発明は相違した形態で実現されてもよく、ここで説明する実施形態に限定さることはない。さらに、図面では、本発明を明確に説明するために説明と関係のない部分は省略し、明細書全体に渡って類似する部分には類似する図面符号を付与した。
【００２０】
明細書全体において、ある部分が他の部分と「接続」しているとするときに、これは「直接的に接続」している場合だけではなく、その中間に他の素子を置いて「電気的に接続」している場合も含む。また、ある部分がある構成要素を「含む」とするときには、特にこれに反対する記載がない限り、他の構成要素を除くのではなく、他の構成要素をさらに含めることを意味する。
【００２１】
以下、添付の図面を参照しながら、本発明について詳しく説明する。
【００２２】
図１は、本発明の一実施形態に係る動画提供システムを説明するための構成図である。
【００２３】
図１に示すように、動画提供システム１００は、ユーザ端末１０を含む。
【００２４】
ユーザ端末１０は、ネットワーク（Ｎ）を介して遠隔地のサーバに接続したり、他の端末およびサーバと接続したりすることが可能なコンピュータ、携帯用端末機、テレビ、ウェアラブルデバイス（Ｗｅａｒａｂｌｅ  Ｄｅｖｉｃｅ）などによって実現されてもよい。ここで、コンピュータは、例えば、ウェブブラウザ（ＷＥＢ  Ｂｒｏｗｓｅｒ）が搭載されたノート型パンコン、デスクトップ（ｄｅｓｋｔｏｐ）、ラップトップ（ｌａｐｔｏｐ）などを含み、携帯用端末機は、例えば、携帯性と移動性が保障された無線通信装置であって、ＰＣＳ（Ｐｅｒｓｏｎａｌ  Ｃｏｍｍｕｎｉｃａｔｉｏｎ  Ｓｙｓｔｅｍ）、ＰＤＣ（Ｐｅｒｓｏｎａｌ  Ｄｉｇｉｔａｌ  Ｃｅｌｌｕｌａｒ）、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）（登録商標）、ＩＭＴ（Ｉｎｔｅｒｎａｔｉｏｎａｌ  Ｍｏｂｉｌｅ  Ｔｅｌｅｃｏｍｍｕｎｉｃａｔｉｏｎ）−２０００、ＣＤＭＡ（Ｃｏｄｅ  Ｄｉｖｉｓｉｏｎ  Ｍｕｌｔｉｐｌｅ  Ａｃｃｅｓｓ）−２０００、Ｗ−ＣＤＭＡ（Ｗ−Ｃｏｄｅ  Ｄｉｖｉｓｉｏｎ  Ｍｕｌｔｉｐｌｅ  Ａｃｃｅｓｓ）（登録商標）、Ｗｉｂｒｏ（Ｗｉｒｅｌｅｓｓ  Ｂｒｏａｄｂａｎｄ  Ｉｎｔｅｒｎｅｔ）、スマートフォン（Ｓｍａｒｔ  Ｐｈｏｎｅ）、モバイルＷｉＭＡＸ（Ｍｏｂｉｌｅ  Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）（登録商標）などのような、すべての種類のハンドヘルド（Ｈａｎｄｈｅｌｄ）基盤の無線通信装置を含んでもよい。また、テレビジョンは、ＩＰＴＶ（Ｉｎｔｅｒｎｅｔ  Ｐｒｏｔｏｃｏｌ  Ｔｅｌｅｖｉｓｉｏｎ）、インターネットＴＶ（Ｉｎｔｅｒｎｅｔ  Ｔｅｌｅｖｉｓｉｏｎ）、地上波ＴＶ、ケーブルＴＶなどを含んでもよい。さらに、ウェアラブルデバイスは、例えば、時計、眼鏡、アクセサリ、衣服、靴などのように、人体に直接に着用可能なタイプの情報処理装置であって、直接または他の情報処理装置を介してネットワークを経由して遠隔地のサーバに接続したり他の端末と接続したりしてもよい。
【００２５】
このようなユーザ端末１０は、他の端末に動画ファイルを提供してもよい。また、ユーザ端末１０は、他の端末から動画ファイルをストリーミングしたり、動画ファイルを受信および格納したりして再生することによって動画ファイルの提供を受けてもよい。
【００２６】
一方、動画提供システム１００は、管理サーバ２０を追加でさらに含んでもよく、管理サーバ２０は、ネットワーク（Ｎ）を介してユーザ端末１０と通信してもよい。
【００２７】
ここで、ネットワーク（Ｎ）は、ローカルエリアネットワーク（Ｌｏｃａｌ  Ａｒｅａ  Ｎｅｔｗｏｒｋ：ＬＡＮ）、ワイドエリアネットワーク（Ｗｉｄｅ  Ａｒｅａ  Ｎｅｔｗｏｒｋ：ＷＡＮ）、付加価置通信網（Ｖａｌｕｅ  Ａｄｄｅｄ  Ｎｅｔｗｏｒｋ：ＶＡＮ）、パーソナルエリアネットワーク（Ｐｅｒｓｏｎａｌ  Ａｒｅａ  Ｎｅｔｗｏｒｋ：ＰＡＮ）、移動通信網（ｍｏｂｉｌｅ  ｒａｄｉｏ  ｃｏｍｍｕｎｉｃａｔｉｏｎ  ｎｅｔｗｏｒｋ）、Ｗｉｂｒｏ（Ｗｉｒｅｌｅｓｓ  Ｂｒｏａｄｂａｎｄ  Ｉｎｔｅｒｎｅｔ）、Ｍｏｂｉｌｅ  ＷｉＭＡＸ、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）、または衛星通信網などのような、すべての種類の有線／無線ネットワークによって実現されてもよい。
【００２８】
このようなネットワーク（Ｎ）を介してユーザ端末１０と通信する管理サーバ２０は、ユーザ端末１０からのアクセスを受け入れる通常のサーバによって実現されてもよく、例えば、管理サーバ２０は、ウェブサーバを含み、ロードバランシングサーバやデータベースサーバなどの一群のサーバシステムによって実現されてもよい。さらに、管理サーバ２０は、本発明の一実施形態に係る動画提供方法を、ＰａａＳ（Ｐｌａｔｆｏｒｍ  ａｓ  Ｓｅｒｖｉｃｅ）またはＳａａＳ（Ｓｏｆｔｗａｒｅ  ａｓ  Ｓｅｒｖｉｃｅ）によって実現してもよい。
【００２９】
このような管理サーバ２０と通信するユーザ端末１０は、管理サーバ２０にアクセスして動画ファイルをアップロードしてもよく、さらに、管理サーバ２０に格納されている動画ファイルをストリーミングしたり受信したりして格納および再生することによって動画ファイルの提供を受けてもよい。
【００３０】
上述したように、ユーザ端末１０および管理サーバ２０は、映像提供システム１００に複数が存在してもよいが、説明の便宜上、図１ではユーザ端末１０および管理サーバ２０をそれぞれ１つずつ示している。
【００３１】
一方、図２は、本発明の一実施形態に係る動画提供システム１００のブロック図であり、図３は、本発明の一実施形態に係る動画提供システムおよび動画提供方法を説明するための第２グループのデータ構造を示した例示図である。
【００３２】
動画提供システム１００は、図２に示すように、ファイル生成部２１０、第１グループ部２２０、第２グループ部２３０、提供部２４０、および録画部２５０を含む。
【００３３】
また、動画提供システム１００は、内部構成要素、すなわち、ファイル生成部２１０、第１グループ部２２０、第２グループ部２３０、提供部２４０、および録画部２５０の間で通信を可能にしながらも、外部構成要素との通信も可能にする通信部（図示せず）を含んでもよい。
【００３４】
また、動画提供システム１００は、本発明の一実施形態に係る動画提供方法を実行するためのデータを格納するための格納部（図示せず）を含んでもよく、外部に位置する格納装置（図示せず）、例えば、データベースと通信してもよい。
【００３５】
一方、本発明の一実施形態に係るファイル生成部２１０は、動画ファイルを生成する。
【００３６】
ここで、動画ファイルは、イメージファイルおよびオーディオファイルで構成されてもよい。すなわち、動画ファイルは、動画に含まれるオーディオに関する情報を格納するオーディオファイルを含んでもよく、動画ファイルからオーディオファイルを抽出した残りのファイル情報をイメージファイルとして含んでもよい。
【００３７】
また、動画ファイルは、動画と関連する位置に関する情報である位置情報、および動画と関連する時間に関する情報である時間情報を含んでもよい。位置情報は、例えば、動画が撮影された位置（例えば、ＧＰＳ値）、または動画の内容と関連する位置に関する情報などであってもよく、時間情報は、例えば、動画が撮影された時間（例えば、タイムスタンプ）、または動画の内容と関連する時間（例えば、標準時間帯を考慮して生成されたタイムスタンプ）であってもよい。
【００３８】
一方、第１グループ部２２０は、１つ以上の動画ファイルの集合である第１グループを生成するように構成される。
【００３９】
ここで、第１グループ部２２０は、１つ以上の動画ファイルのそれぞれの位置情報および時間情報のうち少なくとも１つに基づいて動画ファイルを第１グループとしてグルーピングしてもよい。
【００４０】
すなわち、第１グループ部２２０は、動画ファイルの位置情報に基づいて動画ファイルを第１グループとしてグルーピングしてもよく、例えば、特定の位置を中心として所定の半径以内に存在する位置情報を有する動画ファイルを第１グループとしてグルーピングしてもよい。
【００４１】
また、第１グループ部２２０は、動画ファイルの時間情報に基づいて動画ファイルを第１グループとしてグルーピングしてもよく、例えば、特定の時間を基準として所定の範囲以内の時間を有する動画ファイルを第１グループとしてグルーピングしてもよい。このために、第１グループ部２２０は、追加で、各動画ファイルを生成（または編集）したユーザ端末によって記録された時間情報を示すタイムスタンプを、標準時間帯を考慮して変換してもよいが、例えば、韓国での特定の時間（例えば、特定日の午後３時）のような瞬間（例えば、特定日の午前７時：時差８時間が考慮された時刻）にイギリスで撮影された動画ファイルを第１グループとしてグルーピングしてもよい。
【００４２】
また、第１グループ部２２０は、動画ファイルから抽出されたオーディオファイルに基づき、類似するオーディオと判断されたオーディオファイルに対応する動画ファイルを第１グループ部としてグルーピングしてもよい。このために、第１グループ部２２０は、追加で、各オーディオファイルの波形を分析し、類似する波形を有するオーディオファイルをもつ動画ファイルを第１グループ部としてグルーピングしてもよいし、または、第１グループ部２２０は、特定のアナウンス（または音）が含まれたオーディオファイルをもつ動画ファイルを第１グループ部としてグルーピングしてもよい。
【００４３】
この反面、第２グループ部２３０は、第１グループに含まれる動画ファイルのうち少なくとも一部の動画ファイルをグルーピングするように構成される。
【００４４】
すなわち、第２グループ部２３０は、第１グループに含まれる動画ファイルのうち少なくとも一部の動画ファイルを同期化させてもよい。したがって、第２グループ部２３０は、第１グループに含まれるすべての動画ファイルまたは一部の動画ファイルを同期化させてもよい。ここで、第２グループ部２３０は、第１グループに含まれるすべての動画ファイルが第２グループとして自動的にグルーピングされるようにしてもよい。
【００４５】
ここで、第２グループ部２３０は、動画ファイルのタイムインデックス（例えば、全体フレームのうちで該当のフレームが再生される時間）に基づいて動画ファイルを同期化させてもよい。例えば、第２グループ部２３０は、動画ファイルのタイムスタンプをタイムインデックスとして設定してもよく、タイムインデックスに基づいて同期化させてもよい。また、第２グループ部２３は、動画ファイルをフレームに分割してもよく、各フレームにタイムインデックスを割り当ててもよいが、例えば、第２グループとしてグルーピングされる動画ファイルのうちで最も長い再生時間をもつ動画ファイルの再生時間を基準として各動画ファイルのタイムインデックスを設定し、タイムインデックスに基づいて動画ファイルを同期化させてもよい。
【００４６】
また、第２グループ部２３０は、動画ファイルのオーディオファイルに基づいて動画ファイルを同期化させてもよい。例えば、第２グループ部２３０は、動画ファイルのオーディオファイルに含まれる波形や、特定の単語（または音）の登場時点などに基づいて動画ファイルを同期化させてもよい。
【００４７】
このように動画ファイルを同期化させた第２グループ部２３０は、第２グループに含まれる動画ファイルのそれぞれをチャンネルとマッチングさせてもよい。
【００４８】
ここで、「チャンネル」とは、動画ファイルのそれぞれとマッチングし、その動画ファイルを呼び出してユーザに提供するための識別情報であって、例えば、ユーザによってあるチャンネルが選択されると、選択されたチャンネルにマッチングされた動画ファイルがユーザに提供されてもよい。さらに、各「チャンネル」は、操作インタフェースにマッチングされてもよい。したがって、第２グループ部２３０は、第２グループに含まれる動画ファイルのそれぞれに操作インタフェースをマッチングさせてもよい。
【００４９】
このようなチャンネルは、第２グループに含まれる動画ファイルの数と同じ数または異なる数で存在してもよく、第２グループ部２３０によって第２グループに含まれる動画ファイルのそれぞれとチャンネルがマッチングされてもよく、ユーザによって第２グループに含まれる動画ファイルのそれぞれとチャンネルがマッチングされてもよい。
【００５０】
また、第２グループ部２３０は、既に存在しているチャンネルの他にも、チャンネルを追加で生成してもよく、生成されたチャンネルに対応する操作インタフェースを生成し、特定のチャンネルにマッチングされた動画を視聴しようとするユーザがそのチャンネルを選択できるようにしてもよい。
【００５１】
また、第２グループ部２３０は、第２グループに含まれる動画ファイルを同期化させるときに、第２グループに含まれる動画ファイルに基づいてマスターファイルおよびサブファイルを設定して動画ファイルを同期化させてもよい。
【００５２】
ここで、「マスターファイル」とは、ユーザから第２グループの視聴が要請されたときに特定のチャンネルが設定されていなければ、視聴者にデフォルトで提供されることのできる動画ファイルであり、「サブファイル」とは、第２グループに含まれる動画ファイルのうち、マスターファイルとして設定された動画ファイルを除いた残りの動画ファイルのうちの１つを意味する。また、「マスターオーディオファイル」とは、マスターファイルに含まれるオーディオファイル、または動画提供システムに格納されたオーディオファイルを意味し、タイムインデックスを有してもよい。さらに、「マスターイメージファイル」とは、マスターファイルに含まれるイメージファイル、または動画提供システムに格納されたイメージファイルを意味し、タイムインデックスを有してもよい。
【００５３】
このようなマスターファイルとして、第２グループ部２３０は、例えば、動画提供システムに最初にアップロードされた動画ファイルを設定してもよいし、第２グループに含まれる動画ファイルのリストを提供してユーザによって選択された動画ファイルをマスターファイルとして設定してもよい。
【００５４】
これと関連し、図３の（ａ）〜（ｃ）のそれぞれは、同期化された動画ファイルの集合である第２グループのデータ構造を示している。これと関連し、第２グループのデータ構造には、図３には示されていないが、第２グループを識別するための第２グループ識別情報、第２グループに含まれる動画ファイルの総数、第２グループに割り当てられたチャンネルの数、各チャンネルに対応する動画ファイル、および第２グループに対応する再生時間（動画グループに含まれる動画ファイルのうち少なくとも１つの動画ファイルの総再生時間と同じであってもよい）に関する情報を含むためのヘッダが含まれてもよい。また、第２グループに含まれる動画ファイルのそれぞれは、フレームに分割されてもよく、それぞれのフレームにタイムインデックスが割り当てられてもよい。
【００５５】
図３の（ａ）には、マスターイメージファイル３１１、マスターオーディオファイル３１２、マスター同期化インデックス３１３、およびチャンネルＫイメージファイル３１４を含むデータ構造３１０が示されている。
【００５６】
ここで、マスター同期化インデックス３１３とは、マスターイメージファイルおよびチャンネルＫイメージファイルを同期化させるためのタイムインデックスを意味し、チャンネルＫイメージファイル３１４とは、各チャンネルにマッチングされるサブイメージファイルであって、例えば、「チャンネル２映像ファイル」とは、チャンネル２にマッチングされるサブイメージファイルを意味する。
【００５７】
この反面、図３の（ｂ）には、マスターファイル３２０とサブファイル３３０とに区分されたデータ構造が示されている。
【００５８】
マスターファイル３２０は、マスターイメージファイル３２１、マスターオーディオファイル３２２、サブファイルデータインデックス３２３、および同期化データ３２４を含むデータ構造を有するが、ここで、サブファイルデータインデックス３２３は、サブファイルの数や、サブファイルのそれぞれのファイル識別情報などの情報を含んでもよい。また、同期化データ３２４は、サブファイル３３０に含まれる同期化データ３３２と共に、マスターイメージファイルとチャンネルＫイメージファイルを同期化させるためのデータとして利用される。
【００５９】
さらに、サブファイル３３０は、各チャンネルにマッチングされるチャンネルＫイメージファイル３３１および同期化データ３３２を含むデータ構造を有する。
【００６０】
上述したような図３の（ｂ）のデータ構造は、第２グループに含まれる動画ファイルのうちの少なくとも１つの再生時間が長いか高画質であるためファイルの容量が大きい場合に適用されてもよい。
【００６１】
また、図３の（ｃ）には、マスターファイル３４０とサブファイル３５０とに区分されたデータ構造が示されている。
【００６２】
マスターファイル３２０は、マスターとして設定される動画ファイル３４１、サブファイルデータインデックス３４３、および同期化データ３４４を含むデータ構造を有してもよい。
【００６３】
また、サブファイル３５０は、各チャンネルにマッチングされる動画ファイル３５１および同期化データ３５２を含むデータ構造を有する。
【００６４】
上述したような図３の（ｃ）のデータ構造は、各動画ファイルが有しているオーディオファイルであって、音源を再生するときに適用されてもよい。すなわち、図３の（ｂ）と比べ、特定のチャンネルが選択されると、チャンネルにマッチングされる動画ファイルのオーディオも再生されるようにしてもよい。
【００６５】
このような第２グループ部２３０がマスターファイルを設定することにより、提供部２４０は、操作インタフェースを通じて選択された動画ファイルが存在しない場合には、マスターファイルを提供するようにしてもよい。
【００６６】
一方、提供部２４０は、第２グループに含まれる動画ファイルのうちから選択された動画ファイルを提供するように構成される。
【００６７】
ここで、操作インタフェースを通じてチャンネルが選択されてもよく、提供部２４０は、選択されたチャンネルに対応する動画ファイルを提供してもよい。
【００６８】
したがって、提供部２４０は、第２グループに含まれる一動画ファイルを提供している途中に、第２グループに含まれるさらに他の動画ファイルが選択されると、選択された動画を、その一動画と共に提供してもよいし、提供されていた一動画の提供を中断して提供してもよい。
【００６９】
また、提供部２４０は、ユーザによって複数のチャンネルが選択された場合、選択されたチャンネルにマッチングされる動画を同時に提供してもよく、特に、ユーザのユーザ端末の画面を分割し、分割した画面のそれぞれにチャンネルを割り当てることにより、各分割した画面上で各チャンネルに対応する動画ファイルが再生されるようにしてもよい。
【００７０】
提供部２４０は、第２グループを格納し、第２グループに含まれる動画ファイルをストリーミング方式によって提供してもよいし、第２グループに含まれる動画ファイルを再生しようとする端末に第２グループを格納させ、第２グループに含まれた動画ファイルが再生されるようにしてもよい。
【００７１】
また、提供部２４０は、ユーザによってチャンネルが継続して変えられても、提供されるイベント映像の連続性のために、該当のタイムインデックスにマッチングされるマスターオーディオファイルを継続して再生させてもよい。
【００７２】
上述したように、第２グループに含まれる動画ファイルは、ユーザによって再生されてもよく、その結果、ユーザに最終的にディスプレイされる映像をイベント映像とする。
【００７３】
一方、録画部２５０は、イベント映像を録画するように構成される。
【００７４】
例えば、視聴者は、イベント映像に対してＫ個（Ｋは１以上の整数）のチャンネルが存在し、Ｋ個のチャンネルを切り替えながら動画を再生させてもよく、録画部２５０は、視聴者によって再生された映像を録画してイベント映像を格納してもよい。
【００７５】
また、録画部２５０は、動画提供システム１００と通信するように構成されるサードパーティサーバ（図示せず）と通信してもよく、サードパーティサーバによってイベント映像を共有できるようにしてもよい。
【００７６】
したがって、例えば、視聴者が自身の視聴している映像を録画することによってイベント映像を生成してもよく、生成されたイベント映像を、サードパーティサーバを通じて第三者に配信して共有してもよい。
【００７７】
上述したファイル生成部２１０、第１グループ部２２０、第２グループ部２３０、提供部２４０、および録画部２５０のそれぞれは、ユーザ端末１０および管理サーバ２０のそれぞれで実現されてもよい。
【００７８】
一実施形態によると、ファイル生成部２１０、提供部２４０、および録画部２５０はユーザ端末１０で実現されてもよく、第１グループ部２２０および第２グループ部２３０は管理サーバ２０で実現されてもよい。
【００７９】
さらに他の一実施形態によると、ファイル生成部２１０、第１グループ部２２０、第２グループ部２３０、提供部２４０、および録画部２５０はすべて、ユーザ端末１０で実現されてもよい。
【００８０】
一方、図４および図５に示された実施形態に係る動画提供方法は、図１および図２に示された動画提供システム１００で時系列的に処理される段階を含む。したがって、以下で省略されている内容であっても、図１および図２に示された動画提供システム１００に関して以上で記述した内容は、図４および図５に示された実施形態に係る動画提供方法にも適用されてよい。
【００８１】
図４および図５は、図６を参照しながら後述され、図６は、本発明の一実施形態に係る動画提供方法を説明するための例示図である。
【００８２】
先ず、動画提供システム１００は、動画ファイルを取得してもよい。動画ファイルを生成したり動画ファイルをアップロードしたりすることによって動画ファイルを取得してもよい。ここで、動画ファイルは、タイムスタンプのような時間情報を有してもよく、ＧＰＳ情報のような位置情報も有してよい。
【００８３】
一方、図４で示すように、動画提供システム１００は、１つ以上の動画ファイルの集合である第１グループを生成してもよい（Ｓ４１０）。
【００８４】
ここで、１つ以上の動画ファイルのそれぞれの位置情報および時間情報のうち少なくとも１つに基づいて第１グループを生成してもよい。また、１つ以上の動画ファイルから抽出されたオーディオファイルに基づいて第１グループを生成してもよい。
【００８５】
このように生成された第１グループに含まれる動画ファイルのうち少なくとも一部の動画ファイルを、動画提供システム１００は、第２グループとしてグルーピングしてもよい（Ｓ４２０）。
【００８６】
すなわち、動画提供システム１００は、第１グループに含まれる動画ファイルのうち少なくとも一部の動画ファイルを同期化させることによって第２グループとしてグルーピングしてもよい。ここで、動画提供システム１００は、少なくとも一部の動画ファイルのそれぞれのタイムインデックスに基づいて少なくとも一部の動画ファイルを同期化させてもよいし、少なくとも一部の動画ファイルのそれぞれのオーディオファイルに基づいて少なくとも一部の動画ファイルを同期化させてもよい。
【００８７】
また、動画提供システム１００は、第２グループに含まれる少なくとも一部の動画ファイルのそれぞれを同期化させるときに、動画ファイルのそれぞれを操作インタフェースにマッチングさせてもよい。ここで、動画ファイルおよび操作インタフェースは、好ましくは一対一でマッチングさせてもよいし、１つの操作インタフェースに複数の動画ファイルをマッチングさせてもよいし、または複数の操作インタフェースに１つの動画ファイルをマッチングさせてもよい。
【００８８】
このような第２グループに含まれる動画ファイルのうちから選択された動画ファイルを、動画提供システム１００によって提供してもよく（Ｓ４３０）、これにより、ユーザは、第２グループに含まれる動画を視聴することができる。
【００８９】
ここで、ユーザは、動画ファイルのそれぞれにマッチングされる操作インタフェースを選択してもよく、動画提供システム１００は、その操作インタフェースを通じて選択された動画ファイルを提供してもよい。
【００９０】
特に、動画提供システム１００は、選択がなされた選択時点以前に提供された動画ファイルに続いて、選択された動画ファイルを提供するが、選択時点のタイムインデックスを開始時間として、選択された動画ファイルを提供してもよい。
【００９１】
また、動画提供システム１００は、選択された動画ファイルのイメージファイルと共に、選択時点以前に提供されたオーディオファイルを選択的に提供してもよい。すなわち、例えば、チャンネル１のオーディオファイルが継続して再生されている間に動画ファイルが選択されると、選択された動画ファイルのイメージファイルのみを提供し、オーディオはチャンネル１のオーディオファイルを提供してもよい。これにより、途切れのないイベント映像の提供が可能となる。
【００９２】
また、動画提供システム１００は、選択時点のタイムインデックスおよび選択された動画ファイルに基づいてマスターファイルを提供してもよい。すなわち、動画提供システム１００は、選択された動画ファイルが、選択時点のタイムインデックスを有していない場合（すなわち、選択時点から再生されるイメージファイルまたはオーディオファイルがない場合）には、イベント映像の連続性のためにマスターファイルを提供してもよい。
【００９３】
一方、図５は、図４に係る動画提供方法をさらに他の実施形態によって実現したフローチャートであって、より具体的には、動画提供システム１００の各構成要素がユーザ端末１０および管理サーバ２０に実現されて実行される動画提供方法のフローチャートである。これと関連して、説明の便宜上、動画ファイルをアップロードしようとするユーザによって制御されるユーザ端末１０を第１ユーザ端末１１と称し、第２グループに含まれる動画ファイルを視聴しようとするユーザによって制御されるユーザ端末１０を第２ユーザ端末１２と称する。
【００９４】
第１ユーザ端末１１は、１つのイベントに対して撮影された動画ファイルを管理サーバ２０にアップロードしてもよい（Ｓ５１０）。このような第１ユーザ端末は、動画提供システムに１つ以上が存在してよいため、管理サーバ２０にアップロードされる動画ファイルも１つ以上であってよい。
【００９５】
この反面、管理サーバ２０は、アップロードされた動画ファイルの第１グループを生成してもよく、例えば、特定の位置で生成（または編集）された動画ファイルで構成されたグループを生成してもよいし、特定の時間に生成（または編集）された動画ファイルで構成されたグループを生成してもよい。
【００９６】
また、管理サーバ２０は、第１グループに含まれる動画ファイルが複数であれば、それらの映像ファイルのうちの一ファイルをマスターファイルとして設定し、残りの動画ファイルをサブファイルとして設定してもよく、第１グループに含まれる動画ファイルが１つであれば、その動画ファイルをマスターファイルとして設定してもよい（Ｓ５２０）。
【００９７】
この後、管理サーバ２０は、アップロードされた動画ファイルを第２グループとしてグルーピングして格納してもよい（Ｓ５３０）。ここで、第２グループとしてグルーピングされる動画ファイルは、第１グループに含まれる動画ファイルのリストをユーザに提供し、これから選択された動画ファイルであってもよいし、管理サーバ２０によって自動的に選択された動画ファイルであってもよいし、第１グループに含まれるすべての動画ファイルであってもよい。
【００９８】
この後、管理サーバ２０は、第２ユーザ端末１２から視聴要請を受信してもよい（Ｓ５４０）。すなわち、管理サーバ２０は、操作インタフェースを通じて、第２ユーザ端末１２から、第２グループに含まれる動画ファイルのうち少なくとも１つの動画ファイルの視聴要請を受信してもよい。
【００９９】
このとき、第２グループに含まれる動画ファイルが複数であるかを判断してもよい（Ｓ５５０）。
【０１００】
第２グループに含まれる動画ファイルが１つである場合、管理サーバ２０は、動画ファイルを提供してもよい。しかし、第２グループに含まれる動画ファイルが複数である場合、管理サーバ２０は、操作インタフェースを提供することにより、第２ユーザ端末１２が特定のチャンネルを１つ以上選択できるようにしてもよく（Ｓ５６０）、操作インタフェースを通じて第２グループに含まれる動画ファイルのうち１つ以上の動画ファイルが選択されると（Ｓ５７０）、選択された動画ファイルを提供してもよい（Ｓ５８０）。
【０１０１】
操作インタフェースを通じて選択されたチャンネルに対応する動画ファイルが存在しない場合に、管理サーバ２０は、マスターファイル（マスターイメージファイルおよびマスターオーディオファイルのうち少なくとも１つ）を第１ユーザ端末１２に提供してもよい。
【０１０２】
一方、図５には示されていないが、管理サーバ２０が第２ユーザ端末１２から視聴要請を受信すると（Ｓ５４０）、第２ユーザ端末１２に第２グループの動画ファイルをすべて提供し、第２ユーザ端末１２が第２グループをダウンロードすることによって段階５６０〜段階５８０を実行する主体となってもよい。
【０１０３】
一方、図６は、３台のユーザ端末に装着されているカメラ装置で撮影した映像ファイル６１０、６２０、６３０のそれぞれが、本発明の一実施形態に係る動画提供方法によって視聴者に提供される様子を説明するための図である。
【０１０４】
すなわち、図６の（ａ）は、３台のユーザ端末のそれぞれで撮影した動画ファイル６１０、６２０、６３０を示しており、動画ファイルのそれぞれに示されたブロックはフレームであってタイムインデックスを有しており、図６の各動画ファイルはタイムインデックスに基づいて示されている。例えば、動画ファイル６２０は、２〜６までのタイムインデックスを有している。
【０１０５】
さらに、動画ファイル６１０、６２０、６３０は、第２グループに含まれている。
【０１０６】
従来には、図６の（ｂ）に示すように、編集者によって編集されたイベント映像６４０だけが配信されると、視聴者がイベント映像６４０しか視聴することができなかったが、本発明の一実施形態に係る動画提供システムおよび動画提供方法によると、視聴者は多様な角度からイベント映像を視聴することができる。
【０１０７】
例えば、動画ファイル６１０、６２０、６３０のそれぞれがチャンネル１、チャンネル２、チャンネル３に割り当てられている場合、チャンネル１に対応する動画ファイルを視聴したユーザが、チャンネル２にマッチングされている操作インタフェースを通じてチャンネル２を選択した場合、ユーザは動画ファイル６２０を視聴することができ、動画ファイル６２０の再生が終わる時点（すなわち、別途のフレームが存在しない時点：タイムインデックス６）まで別途のチャンネルが選択されなければ、マスターファイルとして設定されたチャンネル１の動画ファイル６１０を視聴することができ、図６の（ｃ）に示すようなイベント映像６５０を視聴することができる。
【０１０８】
また、視聴者が、チャンネル３に対応する動画ファイル６３０を視聴している間に、タイムインデックス３の時点にチャンネル２を選択すると、チャンネル２に対応する動画ファイル６２０を視聴することができ、さらに、タイムインデックス５の時点にチャンネル１を選択すると、チャンネル１に対応する動画ファイル６１０を視聴することができるが、その結果、視聴者は、図６の（ｄ）に示すようなイベント映像６６０を視聴することができる。すなわち、本発明の一実施形態によると、視聴者は、編集者によって編集された映像ファイルではない、自身の嗜好に合った動画ファイルを途切れることなく視聴することができる。
【０１０９】
図４および図５を参照しながら説明された実施形態に係る動画提供方法は、コンピュータによって実行されるプログラムモジュールのようなコンピュータによって実行可能な命令語を含む記録媒体の形態で実現されてもよい。コンピュータで読み取り可能な媒体は、コンピュータによってアクセスすることのできる任意の可用媒体であってもよく、揮発性および不揮発性媒体、分離型および非分離型媒体をすべて含む。また、コンピュータで読み取り可能な媒体は、コンピュータ格納媒体および通信媒体をすべて含んでもよい。コンピュータ格納媒体は、コンピュータで読み取り可能な命令語、データ構造、プログラムモジュール、またはその他のデータのような情報を格納するための任意の方法または技術によって実現された揮発性および不揮発性、分離型および非分離型媒体をすべて含む。通信媒体は、典型的に、コンピュータで読み取り可能な命令語、データ構造、プログラムモジュール、または搬送波のような変調されたデータ信号のその他データ、またはその他の送信メカニズムを含み、任意の情報伝達媒体を含む。
【０１１０】
また、本発明の一実施形態に係る動画提供方法は、コンピュータによって実行可能な命令語を含むコンピュータプログラム（またはコンピュータプログラム製品）によって実現されてもよい。コンピュータプログラムは、プロセッサによって処理されるプログラミング可能な機械命令語を含み、高水準プログラム言語（Ｈｉｇｈ−ｌｅｖｅｌ  Ｐｒｏｇｒａｍｍｉｎｇ  Ｌａｎｇｕａｇｅ）、オブジェクト指向プログラミング言語（Ｏｂｊｅｃｔ−ｏｒｉｅｎｔｅｄ  Ｐｒｏｇｒａｍｍｉｎｇ  Ｌａｎｇｕａｇｅ）、アセンブリ言語、または機械言語などによって実現されてもよい。また、コンピュータプログラムは、類型のコンピュータで読み取り可能な記録媒体（例えば、メモリ、ハードディスク、磁気／光学媒体、またはＳＳＤ（Ｓｏｌｉｄ−Ｓｔａｔｅ  Ｄｒｉｖｅ）など）に記録されてもよい。
【０１１１】
したがって、本発明の一実施形態に係る動画提供方法は、上述したようなコンピュータプログラムがコンピュータ装置によって実行されることによって実現されてもよい。コンピュータ装置は、プロセッサと、メモリと、格納装置と、メモリおよび高速拡張ポートに接続している高速インタフェースと、低速バスと格納装置に接続している低速インタフェースのうち少なくとも一部を含んでもよい。このような成分のそれぞれは、多様なバスを利用して互いに接続しており、共通マザーボードに搭載されてもよいし、他の適切な方式によって装着されてもよい。
【０１１２】
ここで、プロセッサは、コンピュータ装置内で命令語を処理してもよいが、このような命令語としては、例えば、高速インタフェースに接続するディスプレイのように外部入力、出力装置上にＧＵＩ（Ｇｒａｐｈｉｃ  Ｕｓｅｒ  Ｉｎｔｅｒｆａｃｅ）を提供するためのグラフィック情報を表示するためにメモリや格納装置に格納された命令語を有してもよい。他の実施形態として、多数のプロセッサおよび（または）多数のバスが適切に多数のメモリおよびメモリ形態と共に利用されてもよい。また、プロセッサは、独立的な多数のアナログおよび（または）デジタルプロセッサを含むチップがなすチップセットによって実現されてもよい。
【０１１３】
また、メモリは、コンピュータ装置内で情報を格納する。一例として、メモリは、揮発性メモリユニットまたはそれらの集合によって構成されてもよい。他の例として、メモリは、非揮発性メモリユニットまたはそれらの集合によって構成されてもよい。また、メモリは、例えば、磁気あるいは光ディスクのように異なる形態のコンピュータで読み取り可能な媒体であってもよい。
【０１１４】
さらに、格納装置は、コンピュータ装置に大容量の格納空間を提供してもよい。格納装置は、コンピュータで読み取り可能な媒体や、このような媒体を含む構成であってもよく、例えば、ＳＡＮ（Ｓｔｏｒａｇｅ  Ａｒｅａ  Ｎｅｔｗｏｒｋ）内の装置や他の構成を含んでもよく、フロッピディスク装置、ハードディスク装置、光ディスク装置、あるいはテープ装置、フラッシュメモリ、これと類似する他の半導体メモリ装置あるいは装置アレイであってもよい。
【０１１５】
上述した本発明の説明は例示に過ぎず、本発明が属する技術分野において通常の知識を有する者は、本発明の技術的思想や必須な特徴を変更しなくとも、他の具体的な形態に簡単に変形が可能であるということを理解できるであろう。このため、以上で記述した実施形態は、すべての面において例示的なものであり、限定的なものではないと理解されなければならない。例えば、単一型と説明されている各構成要素が分散されて実施されてもよく、これと同様に、分散されると説明されている構成要素が結合した形態で実施されてもよい。
【０１１６】
本発明の範囲は、上述した詳細な説明よりは、添付する特許請求の範囲によって示され、特許請求の範囲の意味および範囲、さらにはその均等な概念から導き出されるすべての変更または変形した形態も、本発明の範囲に含まれると解釈されなければならない。
【図１】
0006385447.tif 000002
【図２】
0006385447.tif 000003
【図３】
0006385447.tif 000004
【図４】
0006385447.tif 000005
【図５】
0006385447.tif 000006
【図６】
0006385447.tif 000007